(57)【要約】【課題】片面印刷前に原稿束の向きを確認しなくても、読み取り中に向きの確認と修正が可能でユーザビリティを向上させることができる画像読取装置を提供する。【解決手段】画像読取装置は、原稿の表面の画像データを読み取る表面読取部２０９と、原稿の裏面の画像データを読み取る裏面読取部１９とを備える。また、表面読取部２０９及び裏面読取部１９で読み取った面の画像データの有無から原稿の表裏が反転しているか否かを判定するＣＰＵ４００及び画像処理部４１０を備える。また、表裏が反転している原稿の裏面の画像データを表示するとともに、裏面の画像データの処理方法をユーザに選択させる操作部５０９と、ユーザにより選択された処理方法に基づき、裏面の画像データを処理するＣＰＵ４００とを備える。【選択図】図３
2009124422.tif 000002
【特許請求の範囲】
【請求項１】
原稿の第１の面の画像データを読み取る第１の読取手段と、
前記原稿の第２の面の画像データを読み取る第２の読取手段と、
前記第１の読取手段及び第２の読取手段で読み取った面の前記画像データの有無から前記原稿の表裏が反転しているか否かを判定する判定手段と、
前記表裏が反転している前記原稿の前記第２の面の画像データを表示するとともに、前記第２の面の画像データの処理方法をユーザに選択させる操作手段と、
前記操作手段を用いてユーザにより選択された前記処理方法に基づき、前記第２の面の画像データを処理する処理手段と、
を備えることを特徴とする画像読取装置。
【請求項２】
前記処理手段は、前記第２の面の画像データと前記第１の面の画像データを置き替えることを特徴とする請求項１記載の画像読取装置。
【請求項３】
前記処理手段は、前記第２の面の画像データの天地を反転した後に前記第２の面の画像データと前記第１の面の画像データを置き替えることを特徴とする請求項１記載の画像読取装置。
【請求項４】
前記判定手段は、前記原稿の反転が連続であるか否かを判定し、前記原稿が連続して反転していると判定した場合には前記原稿の読み取りを停止し、前記操作手段は、前記原稿の反転が連続であると表示することを特徴とする請求項１乃至請求項３のいずれかに記載の画像読取装置。
【請求項５】
前記判定手段が前記原稿の反転が連続であると判定して読み取りを停止した後、前記第１の読取手段及び第２の読取手段は、読み取った前記原稿の続きの前記原稿を読み取ることを特徴とする請求項４記載の画像読取装置。
【請求項６】
前記操作手段は、原稿束の全原稿の読取の終了後に前記判定手段の判定の結果を表示することを特徴とする請求項１乃至請求項５のいずれかに記載の画像読取装置。
【発明の詳細な説明】
【技術分野】
【０００１】
本発明は、画像読取装置に関するものである。
【背景技術】
【０００２】
トレイ上に載せられた原稿束を１枚ずつ自動で画像読取位置まで搬送して画像を読み取らせる装置として、自動原稿給紙装置（以下、ＡＤＦ）がある。このＡＤＦを利用して片面原稿束を片面印刷する場合、原稿束の一部の原稿が裏返っていてもそのまま印刷されてしまうため再度印刷をし直す必要があった。しかも印刷後すぐには気づかず、中身を見る段階で初めて印刷ミスに気付くということがしばしばある。
【０００３】
これを防ぐためには、ユーザ自身が原稿の１枚１枚の表裏の向きを確認し、原稿束に問題が無いことを確認してから印刷する必要があるが、原稿枚数によってはその確認作業は煩わしく、また人的ミスで向きの間違えに気づかないこともある。
【０００４】
このような問題に対して、表面が白であると判定した場合に裏面を読み取り、裏面に画像がある場合には、裏面画像を表面画像として印刷する技術が提案されている（特許文献１）。
【０００５】
また、表裏が反対と判定した場合には警告表示してスキャンを中止するか、もしくは、反対と判定した原稿を印刷対象から外し、次原稿以降の排紙トレイを変えて印刷する技術が提案されている（特許文献２）。
【特許文献１】特開２００２−１９９１８１号公報
【特許文献２】特開２００２−９４７３０号公報
【発明の開示】
【発明が解決しようとする課題】
【０００６】
しかし、上記特許文献１に提示の技術では、裏面画像の天地の判定をしていないため、表裏は揃っても天地まで揃っている保証がないという問題がある。また、連続して表裏が反転されている場合は、置かれた原稿束の順番自体が間違っている可能性が考えられるが、それを考慮していないため、ユーザの期待しない順番で読み取ってしまう問題もある。
【０００７】
また、上記特許文献２に提示の技術では、無駄な印刷は避けられるが、再度一から読み込ませる必要があり、警告表示する直前まで読み取った時間や電力が無駄になる。また、印刷対象から外す技術は、排紙トレイが複数あることが前提であり、また、ユーザが意図した印刷になる保証がないという問題がある。
【０００８】
本発明の目的は、片面印刷前に原稿束の向きを確認しなくても、読み取り中に向きの確認と修正が可能でユーザビリティを向上させることができる画像読取装置を提供することにある。
【課題を解決するための手段】
【０００９】
上記目的を達成するために、請求項１記載の画像読取装置は、原稿の第１の面の画像データを読み取る第１の読取手段と、前記原稿の第２の面の画像データを読み取る第２の読取手段と、前記第１の読取手段及び第２の読取手段で読み取った面の前記画像データの有無から前記原稿の表裏が反転しているか否かを判定する判定手段と、前記表裏が反転している前記原稿の前記第２の面の画像データを表示するとともに、前記第２の面の画像データの処理方法をユーザに選択させる操作手段と、前記操作手段を用いてユーザにより選択された前記処理方法に基づき、前記第２の面の画像データを処理する処理手段と、を備えることを特徴とする。
【発明の効果】
【００１０】
本発明の画像読取装置によれば、片面印刷前に原稿束の向きを確認しなくても、読み取り中に向きの確認と修正が可能でユーザビリティを向上させることができる。
【発明を実施するための最良の形態】
【００１１】
以下、本発明の実施の形態を図面を参照しながら詳細に説明する。
【００１２】
図１は、本発明の実施の形態に係る画像読取装置の概略構成図である。
【００１３】
図１の画像読取装置は、１パス両面画読み取りが可能な形式の画像読取装置である。
【００１４】
本画像読取装置は、ＡＤＦ（自動原稿給紙装置）１００とリーダ部２００とから構成される。
【００１５】
以下、その構成を動作と併せて説明する。
【００１６】
ＡＤＦ１００の原稿載置台３０には、原稿Ｓが原稿ガイド（図示せず）によって挟み込まれるようにして載置される。原稿ガイドは、原稿の幅に合わせて移動することが可能であり、原稿ガイドの移動に連動してサイズセンサ（図示せず）が信号を発生する。このサイズセンサの信号により、ＡＤＦ１００は原稿載置台３０に載置されている原稿Ｓのサイズを検出することができる。
【００１７】
ＡＤＦ１００とリーダ部２００とは、互いのステータスを送受するためのインターフェース（図示せず）を介して接続されており、このインターフェースを介してリーダ部２００側でも原稿載置台３０に載置された原稿のサイズを知ることができる。
【００１８】
ＡＤＦ１００は、原稿載置台３０に載置された複数枚の原稿を各分離ローラ１、２によって１枚ずつ分離し、分離された原稿を、レジローラ３と搬送ローラ４の回動に従って読取位置Ｒに搬送する。
【００１９】
リーダ部２００の表面読取部（第１の読取手段）２０９は、原稿が読取位置に搬送されるまでにシェーディング補正板２１０の直下に移動し、シェーディング補正板２１０を読み取ることによってシェーディング補正データを取得する。
【００２０】
シェーディング補正データの取得が終了すると、表面読取部２０９は、流し読みウインドウ２０１の直下に移動し、原稿が搬送されてくるまで読取待機状態となる。
【００２１】
原稿が流し読みウインドウ２０１の上に搬送されると、この原稿の表面（第１の面）画像は表面読取部２０９により読み取られる。
【００２２】
具体的には、表面読取部２０９内のランプ２０３で照明された原稿画像は、第１ミラー２０４、第２ミラー２０５、第３ミラー２０６及びレンズ２０７を介してＣＣＤ２０８に結像され、ＣＣＤ２０８によりライン単位で主走査方向に読み取られる。そして、原稿は、搬送ローラ４により所定の速度で搬送され、原稿表面の画像に対する副走査方向の読み取りが順次行われる。
【００２３】
原稿表面の画像の読み取りが進行するのに伴い原稿端部が裏面読取部（第２の読取手段）１９の直下に搬送されると、結像レンズ１７、ＣＩＳ１８及びランプ１６から構成された裏面読取部１９によって原稿の裏面（第２の面）の画像が読み取られる。
【００２４】
裏面読取部１９において、ランプ１６で照明された原稿裏面の画像は結像レンズ１７を介してＣＩＳ１８上に結像される。ＣＩＳ１８に結像されたイメージは等倍のライン単位でのイメージである。
【００２５】
そして、原稿は搬送ローラ６により所定の速度で搬送され、原稿裏面の画像に対する副走査方向の読み取りが順次行われる。両面の読み取りが終了した原稿は排紙トレイ部３１に順次排紙される。
【００２６】
このようにして読み取られた表面及び裏面の画像データは、画像処理回路（図示せず）に送られて所定の画像処理が施された後に、画像読取装置に接続されたホストコンピュータやプリンタなどに出力される。
【００２７】
一方、見開き本などのブックタイプの原稿を読み取る場合は、ＡＤＦ１００を開いて原稿ガラス２０２上に原稿を載置し、表面読取部２０９（ランプ２０３と第１ミラー２０４）を図１の右方向に走査させて原稿の画像を読み取る。符号８は排紙ローラ、１３は排紙センサ、２２は反転パスを示す。
【００２８】
図２は、図１におけるＡＤＦの制御ブロック図である。
【００２９】
ＡＤＦ１００は、中央演算処理装置である制御手段（以下、ＣＰＵ）３００、制御用プログラムが格納されたリードオンリーメモリ（以下、ＲＯＭ）３０１、入力データや作業用データが格納されたランダムアクセスメモリ（以下、ＲＡＭ）３０２を備える。
【００３０】
また、ＡＤＦ１００は、各種センサ３０３、リーダ部２００との通信を行うリーダ通信部３０４、各種搬送用のローラを駆動するモータ３０５、ソレノイド３０６、クラッチ３０７、画像を読み取るＣＩＳ１８を備える。
【００３１】
また、ＡＤＦ１００は、読み取った画像の処理をする画像処理部３０９、ランプ１６を備える。ＣＰＵ３００は、バスを介して接続されたＲＯＭ３０１に格納された制御プログラムに従って紙搬送を制御する。
【００３２】
図３は、図１におけるリーダ部の制御ブロック図である。
【００３３】
リーダ部２００は、ＣＰＵ４００、制御用プログラムが格納されたＲＯＭ４０１、入力データや作業用データが格納されたＲＡＭ４０２、各種センサ４０３、ＡＤＦ１００との通信を行うＡＤＦ通信部４０４を備える。
【００３４】
また、リーダ部２００は、ＣＰＵ３００との通信を行うコントローラ通信部４０５、読取系のローラを駆動するモータ４０６、画像を読み取るＣＣＤ２０８、画像を記憶する画像メモリ４０８、ランプ２０３を備える。また、リーダ部２００は、読み取った画像の処理をする画像処理部４１０、紙間処理を行う紙間処理部４１１を備える。
【００３５】
ＣＣＤ２０８上に結像された画像信号はデジタル画像データに変換され、画像処理部４１０で各種の画像処理を行い、画像メモリ４０８に書き込まれる。同様に、ＡＤＦ１００のＣＩＳ１８上に結像された画像信号も画像メモリ４０８に書き込まれ、順次、コントローラ通信部４０５を通して、図４に示すコントローラ４５０に送信される。
【００３６】
また、原稿画像データの先端の基準となる画先信号Ｈ_ＳＹＮＣについては、ＣＰＵ４００でタイミングを取って、コントローラ通信部４０５を通してＣＰＵ３００へ通知される。
【００３７】
ＡＤＦ通信部４０４から通知される画先信号についても、同様に、リーダ部２００のＣＰＵ４００でタイミングを取って、コントローラ通信部４０５を通してコントローラ４５０へ通知される。
【００３８】
図４は、図１の画像読取装置に搭載されるコントローラの制御ブロック図である。
【００３９】
コントローラ４５０は、ＣＰＵ５００、ＲＯＭ５０１、ＲＡＭ５０２、センサ５０３、リーダ部２００と通信するリーダ通信部５０４、ページメモリ５０５、外部記憶装置５０６、デコーダ５０７、エンコーダ５０８、操作部５０９を備える。
【００４０】
ＣＰＵ５００は、ＲＯＭ５０１の制御プログラムに従ってコントローラ４５０の各部を制御するものである。ＲＯＭ５０１は、コントローラ４５０の制御プログラムが格納してある。ＲＡＭ５０２はＣＰＵ５００の作業領域である。
【００４１】
リーダ通信部５０４からの画先信号Ｈ_ＳＹＮＣをトリガにして、リーダ部２００の画像メモリ４０８からコントローラ通信部４０５及びリーダ通信部５０４を介して１ラインずつ画像データがコントローラ４５０に送信される。
【００４２】
送信された画像の圧縮前の画像データを外部記憶装置５０６に順次格納していく。デコーダ５０７は、外部記憶装置５０６に圧縮されて記憶されている画像データを解析し、ページメモリ５０５上に展開するものである。エンコーダ５０８は、外部記憶装置５０６の画像データを圧縮するものである。
【００４３】
操作部５０９はユーザとの入出力を行う。コントローラ４５０は、操作部５０９でユーザに指示されたジョブモードに従って、リーダ通信部５０４を介してリーダ部２００と通信を行い、画像読み取り動作を行う。
【００４４】
（画像有無検出判定）
図５は、図３における画像処理部の制御ブロック図である。
【００４５】
画像処理部４１０は、画像有無検出判定手段として、座標変換部４２０、彩度分布演算部４２１、明度分布演算部４２２、エッジ検出演算部４２３、白判定部４２４を備える。
【００４６】
画像処理部４１０に入力される画像信号は、Ｒ、Ｇ、Ｂの３つのデジタル信号であり、この例ではそれぞれ８ビットのデータである。３色画像信号Ｒ、Ｇ、Ｂは既知の座標変換部４２０により、色相Ｈ、彩度Ｓ、明度Ｌの３座標に変換される。
「画像がない」とする判定基準として、この例では以下の通りとする。
（１）原稿全体の彩度が所定の値以下である（下地が白であることを想定している）
彩度分布演算部４２１で、彩度分布演算用関数Ｗｓ=ｆｓ（Ｓ，  Ａｓ）により、パラメータＡｓを用いて原稿１枚分にわたる彩度分布Ｗｓを演算する。
（２）原稿全体の明度が所定の値以上である（濃度の違いがない）。
【００４７】
明度分布演算部４２２で、明度分布演算用関数Ｗｌ=ｆｌ（Ｌ，Ａｌ）により、パラメータＡｌを用いて原稿１枚分にわたる明度分布Ｗｌを演算する。
（３）エッジがない（文字等がない）。
【００４８】
エッジ検出演算部４２３で、エッジ分布演算用関数Ｗｅ=ｆｅ（Ｌ，Ａｅ）により、パラメータＡｅを用いて原稿１枚分にわたる明度の急激な変化の割合を検出する。
【００４９】
上記３つの判定基準に基づく演算結果を用いて、白判定部４２４において画像無し判定係数Ｗを
Ｗ=Ｆ０（Ｗｓ，Ｗｌ，Ｗｅ）の演算により求め、Ｗが所定値以上である場合に画像無しとする。
【００５０】
リーダ部２００内の画像処理部４１０では、上記画像有無検出判定手段を２系統独立に持つ。そして、リーダ部２００のコントローラ通信部４０５より入力された画像とＣＣＤ２０８から入力された画像をそれぞれ外部記憶装置５０６に格納する際、各系統を利用して画像有無検出判定を実行する。
【００５１】
画像をそれぞれ外部記憶装置５０６に格納中に上記条件を満足しない画像を検出しなかった場合、画像無しと判定する。本実施の形態では、画像有無検出判定をリーダ部２００で行っているが、コントローラ４５０で行ってもよい。
【００５２】
（表裏反転判定）
画像有無検出判定で表面の画像が無しと判定された場合は、次の裏面画像の画像有無検出判定を行う。ここで、裏面原稿が有りと判定されば場合は、「表裏反転」と判定する。また、表裏反転と判定した場合には、さらに前原稿も表裏反転と判定されていたかを判定し、前原稿も表裏反転だった場合には「連続表裏反転」と判定する。
【００５３】
画像処理部４１０とＣＰＵ４００は、第１の読取手段としての表面読取部２０９及び第２の読取手段としての裏面読取部１９で読み取った面の画像データの有無から原稿の表裏が反転しているか否かを判定する判定手段として機能する。
【００５４】
（反転画像処理動作）
図６は、図５の画像処理部の表裏反転判定において表裏反転と判定された場合に、図４における操作部に表示させる画面の一例を示す図である。
【００５５】
操作部５０９の画面には、原稿の表裏が反転していることを通知するメッセージと、裏面の画像が表示される。また、反転と判定された原稿の表面画像と裏面画像を、どのように処理するかを選択するボタンが表示される。
【００５６】
即ち、操作部５０９は、表裏が反転している原稿の裏面の画像データを表示するとともに、裏面の画像データの処理方法をユーザに選択させる操作手段として機能する。また、ＣＰＵ４００または５００は、操作部５０９を用いてユーザにより選択された処理方法に基づき、裏面の画像データを処理する処理手段として機能する。
【００５７】
図７は、図１の画像読取装置によって実行される反転画像処理の手順を示すフローチャートである。
【００５８】
図７において、まず、ＡＤＦ１００に原稿が置かれ、片面読取モードのジョブがスタートすると、１枚目の原稿の搬送を開始して表面読取部２０９で原稿の表面を読み取る。そして、画像データを、コントローラ通信部４０５を介してコントローラ４５０に送り、外部記憶装置５０６に保存する（ステップＳ１０１）。
【００５９】
次に、画像処理部４１０で画像の有無を検出し（ステップＳ１０２）、画像が有れば、次原稿の読取処理（ステップＳ１１３）に移る。表面の画像が無い場合は、裏面読取部１９で原稿の裏面を読み取り、表面画像同様に画像データをコントローラ４５０に送り、外部記憶装置５０６に保存する（ステップＳ１０３）。
【００６０】
そして、画像処理部４１０は、裏面画像の有無検出を行う（ステップＳ１０４）。画像処理部４１０は、裏面の画像無しを検出した場合は、表裏とも白紙の原稿であると判定し、該当する表面画像及び裏面画像データを外部記憶装置５０６から削除する（ステップＳ１０５）。
【００６１】
画像処理部４１０は、裏面画像有りと検出した場合は表裏反転と判定し、操作部５０９に図６に示すような画面を表示し（ステップＳ１０６）、ユーザからの処理入力を待つ（ステップＳ１０７）。
【００６２】
このとき、表裏が反転していた原稿が何枚目であるかの情報を外部記憶装置５０６に保存しておく。
【００６３】
処理内容として「表面画像無し」が選択された場合には、裏面画像データを外部記憶装置５０６から削除し（ステップＳ１０８）、反転情報の表示を解除する（ステップＳ１０９）。
【００６４】
処理内容として「表裏入れ替え」が選択された場合は、さらに天地の反転もするように選択されているか否かを判定する（ステップＳ１１０）。そして、天地反転も選択されていた場合には、外部記憶装置５０６に保存された裏面画像データの天地を反転する（ステップＳ１１１）。
【００６５】
天地反転後、外部記憶装置５０６に保存された表面画像を削除し、裏面画像データを表面画像データとして置き替える。反転はしないように選択されていた場合も、裏面画像データを表面画像データとして置き替える（ステップＳ１１２）。
【００６６】
置き替え処理を終了後、反転情報の表示を解除する（ステップＳ１０９）。次に、画像処理部４１０は、次原稿があるか否かを判定し（ステップＳ１１３）、原稿が無くなるまで上述したステップを繰り返す。
【００６７】
そして全原稿の読み込みが終了したか、もしくは、ステップＳ１０７でキャンセルが押された場合は、ステップＳ１０６で保存した反転原稿のページ情報を図８の画面のように表示する（ステップＳ１１４）。そして、本処理を終了する。この表示はＯＫボタンが押されるか、一定時間経過後に解除される。
【００６８】
（連続反転時の処理動作）
図９は、図６の画像処理部による表裏反転判定において連続して表裏反転と判定された場合に、図４における操作部に表示させる画面の一例を示す図である。
【００６９】
連続して表裏反転と判定された場合、画像読取装置の動作は一時停止する。そして、操作部５０９の画面には、連続して原稿の表裏が反転していることを通知するメッセージと、裏面の画像が表示される。また、反転と判定された原稿の表面画像と裏面画像を、どのように処理するかを選択するボタンが表示されると共に、再スタートボタンが表示される。
【００７０】
図１０は、図１の画像読取装置によって実行される連続反転画像処理の手順を示すフローチャートである。
【００７１】
画像処理部４１０により、原稿が表裏反転していると判定されると（ステップＳ２０１）、前の原稿が反転されていたか否かの確認を行う（ステップＳ２０２）。ここで表裏反転の判定は、図７のステップＳ１０１〜Ｓ１０４に該当する。
【００７２】
前原稿が反転していない場合は、通常の反転処理を行う（ステップＳ２０３）。ここで通常の反転処理とは、Ｓ１００５〜Ｓ１００８に該当する。前原稿が反転している場合は、図９の画面を表示して、ユーザに原稿が連続して反転していることを通知する（ステップＳ２０４）。
【００７３】
ユーザに図９の画面で処理方法を入力してもらい、ＣＰＵ４００は処理内容を判定する（ステップＳ２０５）。
【００７４】
処理方法が再スタートであれば、外部記憶装置５０６に保存した、最後に読み込んだ原稿の表面と裏面の両方を削除すると共に、その直前の画像データも削除する（ステップＳ２０６、Ｓ２０７）。
【００７５】
図１１（ａ）〜（ｄ）は、片面原稿束の表裏パターンの各例を示す図である。
【００７６】
図１１（ｄ）を例に挙げると、この原稿束を片面読みした場合、４枚目の原稿を読み込んだ後、連続反転通知がなされる。このケースでは、直前に読み込まれた原稿は３枚目の原稿として処理されるが（表裏を反転して処理するように選ばれたとする）、実際は５枚目の原稿である。これではユーザの意図に反する。
【００７７】
このような場合は、４枚目の画像データだけでなく３枚目の画像データも削除することで、不要な再読みみをすることのない再スタートが可能になる。
【００７８】
図１１の（ｃ）を例に挙げると、この原稿束を片面読みした場合、４枚目の原稿を読み込んだ後、連続反転通知される。この原稿束は、原稿の順番はあっているが連続して反転しているだけのケースであるので、３枚目と４枚目に対してそれぞれ適切な処理を行うことができる。
【００７９】
画像データの削除後は、ＣＰＵ４００は、再び、原稿束搬送・読み込みを開始し、続きの画像データとして外部記憶装置５０６に保存して（ステップＳ２０９）、本処理を終了する。
【００８０】
ステップＳ２０５で判定した処理方法が再スタートでない場合（キャンセルの場合）は、ＣＰＵ４００は全画像を削除して（ステップＳ２１０）、本処理を終了する。
【図面の簡単な説明】
【００８１】
【図１】本発明の実施の形態に係る画像読取装置の概略構成図である。
【図２】図１におけるＡＤＦの制御ブロック図である。
【図３】図１におけるリーダ部の制御ブロック図である。
【図４】図１の画像読取装置に搭載されるコントローラの制御ブロック図である。
【図５】図３における画像処理部の制御ブロック図である。
【図６】図５の画像処理部の表裏反転判定において表裏反転と判定された場合に、図４における操作部に表示させる画面の一例を示す図である。
【図７】図１の画像読取装置によって実行される反転画像処理の手順を示すフローチャートである。
【図８】図５の画像処理部の表裏反転判定において表裏反転と判定された反転原稿のページ情報を表示する図４における操作部の画面の一例を示す図である。
【図９】図６の画像処理部による表裏反転判定において連続して表裏反転と判定された場合に、図４における操作部に表示させる画面の一例を示す図である。
【図１０】図１の画像読取装置によって実行される連続反転画像処理の手順を示すフローチャートである。
【図１１】片面原稿束の表裏パターンの各例を示す図である。
【符号の説明】
【００８２】
１９    裏面読取部
１００  ＡＤＦ
２００  リーダ部
２０９  表面読取部
４００  ＣＰＵ
４１０  画像処理部
４２４  白判定部
４５０  コントローラ
５０６  外部記憶装置
５０９  操作部
【図１】
2009124422.tif 000003
【図２】
2009124422.tif 000004
【図３】
2009124422.tif 000005
【図４】
2009124422.tif 000006
【図５】
2009124422.tif 000007
【図６】
2009124422.tif 000008
【図７】
2009124422.tif 000009
【図８】
2009124422.tif 000010
【図９】
2009124422.tif 000011
【図１０】
2009124422.tif 000012
【図１１】
2009124422.tif 000013